(57)【要約】      （修正有）【課題】標準培養土の液相を３０％に気相は４５％以上を継続させ、その他の過湿原因を克服して常に水を培養土に含ませて栽培する底潅水栽培システムを提供する。【解決手段】培養土２の入った栽培容器１の底に水が入っているタンク３に浸したマイクロクロスＡを結束した給水紐を固定し、マイクロクロスＡの上を覆うように遮根透水シート６を敷き植物の根がタンクに伸びないようにし、タンク３には栽培容器１の底をはめ込む穴を設け栽培容器底がタンク水面に浸らないように栽培容器底の雨抜き穴Ｆから雨を流し培養土２の過湿を防止する底潅水栽培システム。【選択図】図１
2018121612.tif 000002
【特許請求の範囲】
【請求項１】
培養土が入っている栽培容器と培養土の下にあり、水が入っているタンクと栽培容器の底に固定するマイクロクロスを結束した給水紐胴体をタンクに浸し、給水紐頭部を栽培容器の底に固定した上を覆うように遮根透水シートを敷き植物の根がタンクに伸びないように培養土を載せ底潅水によって培養土を湿らせて栽培を行うが過湿防止に栽培容器の底がタンク水に触れないように雨抜き穴を設け、栽培容器を持ち上げて水量を確認しタンクの注水穴から補給し屋外では栽培容器に降ってタンクに溜まる雨や屋内では栽培容器への上潅水の水を底潅水栽培に利用して省力化栽培を行う。
【請求項２】
請求項１に記載の培養土であって、多品種に適するように小粒の赤玉土、５ｍｍ程度の軽石、完熟腐葉土を混合し、潅水することで標準培養土として飽和液相を３０％、気相４５％以上とし、乾燥を好む品種では液相を低く混合する培養土。
【請求項３】
請求項１に記載の吸水紐であってマイクロクロスを円柱状に結束して外周を締め上げ胴体部とし、最上部を結束されていない頭部とし、その最上部を縦に十文字に切断し花びら状に広げ、５ｃｍの円形、５ｍｍの平面のマイクロクロスの布頭部の中央に縫い上げて栽培容器の底に胴長の頭の開いたテルテル坊主として固定し、胴体を自己融着テープを巻いて形成し、直径２ｃｍにおいては１５ｃｍ以下とし、直径１ｃｍでは１０ｃｍ以下とする吸水紐。
【請求項４】
請求項１に記載の栽培容器であって、底の中央に吸水紐の胴体を吊り下げ固定する吸水紐穴を開けるとともに、別の個所に水抜き穴が開いていて、大きいお椀状に形成して、底の高台部をタンクのはめ込み穴に固定するが給水紐穴は２０ｃｍ平方に１個程度であり底の大きさに比例して増やす栽培容器。
【請求項５】
請求項１に記載のタンクであって、不透明で、ポリプロピレンによって水入り物干しのベース状とし上部に栽培容器の底を受け入れるはめ込み穴が開いていて雨や上潅水の水を貯水し、栽培容器底が雨で浸らないように、はめ込み穴の下に設ける雨抜き穴から余分な雨を流し注水穴からも補給するタンク。
【請求項６】
請求項１に記載のデュポン社の０，６９ｍｍの遮根透水シートであって、吸水紐頭部の上を覆うように被せて栽培容器の底全体に敷き、雨や潅水する水は遮根透水シートを抜けてタンクに落とし、吸水紐頭部の水は培養土に移動させ、根は培養土内に遮断する遮根透水シート。
【発明の詳細な説明】
【背景分野】
【０００１】本発明は鉢植え栽培において、屋外では雨を貯水して水遣りをせず、花、盆栽を栽培し、屋内では大型タンクに貯水して栽培する底潅水システムである。
【背景技術】
【０００２】底面潅水栽培はドイツのプレイモービル社のレチューザーと命名された底潅水商品が売り出されているが、これは観葉植物栽培専用でありでありクレイと命名された吸水性の低いゼロライトによって水を吸い上げて栽培するがクレイでは吸い上げる水は少なく、又、浅い容器では根が伸びて根腐れの危険がある。日本においてもアップルというメーカーの野菜専用とする底潅水容器が販売されているが栽培容器の底に溜める水の容量も少なく、根が伸びてタンクに達して根腐れを起こす対策もない。又、特願２０１６−２３０６４５であるが改良を加えなければ多品種において吸水紐穴から根が伸びてタンクの水に浸透し根腐れが発生することがある。
【発明の概要】
【発明が解決しようとする課題】
【０００３】底潅水鉢植え栽培において屋外では地植えのように雨だけで水遣り要らずの省力的な花や盆栽の植木鉢を行う。その主なる問題は過湿であり、常に水を培養土に含ませて栽培する底潅水では、うまく育てにくいとされるが標準培養土の液相を３０％にし、気相は常に４５％以上を継続させ、その他の過湿原因を克服して省力的な底潅水栽培を確立することが課題である。
【発明を解決するための手段】
【０００４】底潅水栽培を行うために培養土は小粒の赤玉土、腐葉土、５ｍｍ程度の軽石を混合して、栽培容器の下にタンクを置きマイクロクロスの吸水紐の底潅水で水を吸い上げ、容器が浅いと下に置くタンクに根毛が伸びて根腐れになるため、栽培容器の底に遮根透水シートを敷き根を栽培容器内部の培養土内に遮断して雨や上潅水の水は遮根透水シートを抜けて栽培容器の底からタンクに落としてタンクに溜め吸水紐の底潅水で吸い上げて栽培を行う底潅水栽培システムである。
【発明の効果】
【０００５】この底潅水栽培システムによって、屋外に置いてタンクに降る雨をタンクに貯め、底潅水をすることで多品種の栽培において水遣りが要らない栽培が可能となる。また培養土は液相３０％、気相４５％として多品種の栽培が可能である。タンクには、はめ込み穴を開けて栽培容器の底を固定して栽培容器を持ち上げ、はめ込み穴から水分量を確認し栽培容器の底に遮根透水シートを敷いて根がタンクに伸びることを防ぎ、雨や上潅水で溜まる水を吸い上げて栽培に使用する。
【発明を実施するための形態】
【０００６】本発明の実施形態について図面を参照して説明する。図１は本発明の実施例における正面透視図であり、栽培容器やタンクをポリプロピレンや陶器で不透明に形成し１栽培容器の底にＧ吸水紐穴を開け、吸水紐を固定し栽培容器底の９高台部を３タンクの８はめ込み穴に固定して底が浸かると根腐れになるので１栽培容器の９高台部が３タンクの５水に接触しないように貯水する。４吸水紐は品種により容器の大きさや深さに合わせて直径１ｃｍ−２ｃｍの円柱とし、長さはタンクの深さと同じ１０ｃｍ−１５ｃｍ以下とする。初期にたっぷりと潅水して栽培するが吸水紐頭部は開いた花のように５ｃｍの円形であり５ｍｍの平面状として栽培容器に固定し、胴長の胴体をタンクに降ろす。Ｂ吸水紐頭部を覆うように底に敷く６遮根透水シートを越えて５水は吸水紐頭部から培養土に移動し、根は１栽培容器内部に遮断され、培養土の飽和以上の水は３タンクに落ちて溜まる。給水紐穴は底面積２０ｃｍ平方に１個程度であり底の大きさに比例して増やし、吸水紐は、胴体を水に強いＥ自己融着テープを巻き付け、タンクはポリプロピレンの水入り物干し台のベース形状とし、栽培容器の９高台部がタンクの水に触れないように１栽培容器を持ち上げて水分量を確認し、雨抜き穴から流し吸水穴から補給もできる。
【図面の簡単な説明】
【０００７】
【図１】図１は底潅水栽培システムの１例である。
【図２】図２は頭部が円形、平面形状であり、胴長の円柱状の吸水紐である。
【符号の説明】
【０００８】１栽培容器、２混合培養土  ３タンク  ４給水紐  ５水  ６遮根透水シート  ７給水穴  ８はめ込み穴  ９高台部  Ａマイクロクロス  Ｂ給水紐頭部  Ｃ給水紐胴体部  Ｄ吸水紐穴  Ｅ自己融着テープ  Ｆ水抜き穴  Ｇ雨抜き穴  である。
【図１】
2018121612.tif 000003
【図２】
2018121612.tif 000004